(57)【特許請求の範囲】
【請求項１】
２次ラインパージシステムであって、
対象物に供給されるガスのフローに加圧するよう構成される送風装置であって、出口を持つファンに接続されるモーターを有する、送風装置と、
前記送風装置で又はこの近くで、前記ガスのフローの第１の圧力を測定するよう構成される第１の圧力センサと、
前記出口に動作可能に接続される対象物回路であって、対象物インタフェースにおいて前記対象物の気道に対して前記ガスのフローを伝達するよう構成される、対象物回路と、
前記送風装置及び前記対象物インタフェースの又はこの近くの前記対象物回路と流体連通状態にある２次ラインと、
前記２次ラインにおける前記ガスのフローの第２の圧力を測定するよう構成される第２の圧力センサと、
１）前記２次ラインから前記送風装置を分離する第１の動作モードにおいて、及び２）前記ガスの加圧されたフローを用いて閉塞の前記２次ラインをパージするため、送風装置から前記２次ラインの間の流体連通を可能にする第２の動作モードにおいて、動作可能であるよう構成される弁システムと、
前記第１の圧力及び前記第２の圧力に基づき、前記第１の動作モード及び前記第２の動作モードの間で前記弁システムの動作を切り替えるよう構成されるコントローラであって、前記第１の圧力及び前記第２の圧力の間の差分が閾値を超えることに応じて、前記弁システムが前記第２の動作モードに置かれる、コントローラとを有する、システム。
【請求項２】
前記第２の圧力が、前記閾値分前記第１の圧力を上回ることに応じて、前記弁システムが前記第２の動作モードに置かれる、請求項１に記載のシステム。
【請求項３】
前記閾値が、５ｃｍＨ２０である、請求項１に記載のシステム。
【請求項４】
前記弁システムが、ソレノイドを有する、請求項１に記載のシステム。
【請求項５】
前記弁システムが、患者吸気の間、前記第２の動作モードに置かれる、請求項１に記載のシステム。
【請求項６】
２次ラインをパージする方法において、
対象物に供給されるガスのフローに加圧するステップであって、前記ガスの加圧されたフローが、出口を持つファンに接続されるモーターを含む送風装置により提供される、ステップと、
前記送風装置で又はこの近くで、前記ガスのフローの第１の圧力を検出するステップと、
前記送風装置及び前記出口に動作可能に接続される対象物回路と流体連通状態にある２次ラインにおける前記ガスのフローの第２の圧力を検出するステップと、
前記第１の圧力及び前記第２の圧力に基づき、１）前記２次ラインから前記送風装置を分離する第１の動作モードと、２）前記ガスの加圧されたフローを用いて閉塞の前記２次ラインをパージするため、前記送風装置から前記２次ラインの間の流体連通を可能にする第２の動作モードとの間で弁システムの動作を制御するステップであって、前記第１の圧力及び前記第２の圧力の間の差分が閾値を超えることに応じて、前記弁システムが前記第２の動作モードに置かれる、ステップとを有する、方法。
【請求項７】
前記第２の圧力が、前記閾値分前記第１の圧力を上回ることに応じて、前記弁システムが前記第２の動作モードに置かれる、請求項６に記載の方法。
【請求項８】
前記閾値が、５ｃｍＨ２０である、請求項６に記載の方法。
【請求項９】
前記弁システムが、ソレノイドを有する、請求項６に記載の方法。
【請求項１０】
前記弁システムが、患者吸気の間、前記第２の動作モードに置かれる、請求項６に記載の方法。
【請求項１１】
２次ラインパージシステムであって、
対象物に供給されるガスのフローに加圧する手段であって、前記加圧されたガスのフローが、出口を持つファンに接続されるモーターを含む送風装置により提供される、加圧する手段と、
対象物インタフェースにおいて前記対象物の気道に対して前記ガスのフローを伝達する手段であって、前記伝達が、前記出口に動作可能に接続される対象物回路により提供される、伝達する手段と、
前記送風装置で又はこの近くで、前記ガスのフローの第１の圧力を検出する手段と、
前記送風装置及び前記対象物インタフェースの又はこの近くの前記対象物回路と流体連通状態にある２次ラインにおける前記ガスのフローの第２の圧力を検出する手段と、
前記第１の圧力及び前記第２の圧力に基づき、１）前記２次ラインから前記送風装置を分離する第１の動作モードと、２）前記ガスの加圧されたフローを用いて閉塞の前記２次ラインをパージするため、前記送風装置から前記２次ラインの間の流体連通を可能にする第２の動作モードとの間で弁システムの動作を制御する手段であって、前記第１の圧力及び前記第２の圧力の間の差分が閾値を超えることに応じて、前記弁システムが前記第２の動作モードに置かれる、制御する手段とを有する、システム。
【請求項１２】
前記第２の圧力が、前記閾値分前記第１の圧力を上回ることに応じて、前記弁システムが前記第２の動作モードに置かれる、請求項１１に記載のシステム。
【請求項１３】
前記閾値が、５ｃｍＨ２０である、請求項１１に記載のシステム。
【請求項１４】
前記弁システムが、ソレノイドを有する、請求項１１に記載のシステム。
【請求項１５】
前記弁システムが、患者吸気の間、前記第２の動作モードに置かれる、請求項１１に記載のシステム。
【発明の詳細な説明】
【技術分野】
【０００１】
本発明は、機械的なベンチレータに関する圧力又は２次ラインパージシステム及び方法に関する。
【背景技術】
【０００２】
対象物の呼吸を支援するために呼吸ガスを用いて対象物の肺を換気するのに、ベンチレータが一般に用いられる。ベンチレータは、対象物インタフェースにおいて対象物の気道にガスのフローを伝達するよう構成される対象物回路に動作可能に接続されることができる。圧力ラインは、ベンチレータに対して動作可能に接続されることができ、対象物インタフェースで又はこの近くで、対象物回路と流体連通状態にあることができる。通常は、圧力ラインにおけるガスのフローの圧力を検出するセンサが提供される。圧力測定は、患者における圧力、呼吸の起動、及び例えば呼吸の働き及び肺圧縮率の計算といった肺力学におけるパラメータの計算を制御するのに用いられる。圧力測定は、対象物の呼吸を支援するため、ベンチレータにより供給される支援を制御するのにも用いられることができる。
【発明の概要】
【発明が解決しようとする課題】
【０００３】
しかしながら、使用の間、圧力ラインは、対象物からの流体（例えば、水及び／又は粘液）で閉塞される場合がある。閉塞は、誤った気道圧力読み出しをもたらす場合がある。従って、患者の不十分なベンチレーションをもたらすことがある。更に、対象物からの水及び／又は粘液は、圧力ラインを通りベンチレータへと流れる場合もある。これは、ベンチレータの動作に干渉することもある。
【０００４】
閉塞の圧力ラインをパージする従来のパージシステムが知られる。従来のパージシステムは通常、圧力ラインをパージするために、別々のコンプレッサ又は加圧されたガスの２次源を含む。従って、これらの従来のパージシステムはしばしば、大きく、複雑で、製造費用が高い。
【課題を解決するための手段】
【０００５】
本発明の１つの側面は、対象物に供給されるガスのフローに加圧するよう構成される送風装置を持つ、２次ラインパージシステムに関する。送風装置は、出口を持つファンに接続される可変速モーターを含む。２次ラインパージシステムは、上記送風装置で又はこの近くで、上記ガスのフローの第１の圧力を測定するよう構成される第１の圧力センサと、上記出口に動作可能に接続される対象物回路とを含む。この対象物回路は、対象物インタフェースにおいて上記対象物の気道に対して上記ガスのフローを伝達するよう構成される。このシステムは、上記送風装置及び上記対象物インタフェースの又はこの近くの上記対象物回路と流体連通状態にある２次ラインも含む。このシステムは更に、上記２次ラインにおける上記ガスのフローの第２の圧力を測定するよう構成される第２の圧力センサを含む。弁システムは、１）上記２次ラインから上記送風装置を分離する第１の動作モードにおいて、及び２）上記ガスの加圧されたフローを用いて閉塞の上記２次ラインをパージするため、送風装置から上記２次ラインの間の流体連通を可能にする第２の動作モードにおいて、動作可能であるよう構成される。コントローラは、上記第１の圧力及び上記第２の圧力に基づき、上記第１の動作モード及び上記第２の動作モードの間で上記弁システムの動作を切り替えるよう構成され、その結果、上記第１の圧力及び上記第２の圧力の間の差分が閾値を超えることに応じて、上記弁システムが上記第２の動作モードに置かれる。
【０００６】
本発明の別の側面は、２次ラインをパージする方法に関し、この方法は、対象物に供給されるガスのフローに加圧するステップを含む。上記ガスの加圧されたフローが、出口を持つファンに接続される可変速モーターを含む送風装置により提供される。この方法は、対象物インタフェースで上記対象物の気道に上記ガスのフローを伝達するステップも含む。上記伝達が、上記出口に動作可能に接続される対象物回路により提供される。この方法は更に、上記送風装置で又はこの近くで、上記ガスのフローの第１の圧力を検出するステップと、上記送風装置及び上記対象物インタフェースの又はこの近くの上記対象物回路と流体連通状態にある２次ラインにおける上記ガスのフローの第２の圧力を検出するステップとを含む。この方法は更に、上記第１の圧力及び上記第２の圧力に基づき、１）上記２次ラインから上記送風装置を分離する第１の動作モードと、及び２）上記ガスの加圧されたフローを用いて閉塞の上記２次ラインをパージするため、上記送風装置から上記２次ラインの間の流体連通を可能にする第２の動作モードとの間で弁システムの動作を制御するステップも含み、その結果、上記第１の圧力及び上記第２の圧力の間の差分が閾値を超えることに応じて、上記弁システムが上記第２の動作モードに置かれる。
【０００７】
本発明の更に別の側面は、対象物に供給されるガスのフローに加圧する手段を持つ２次ラインパージシステムに関する。上記加圧されたガスのフローが、出口を持つファンに接続される可変速モーターを含む送風装置により提供される。このシステムは、対象物インタフェースにおいて上記対象物の気道に対して上記ガスのフローを伝達する手段も含む。上記伝達手段が、上記出口に動作可能に接続される対象物回路により提供される。このシステムは、上記送風装置で又はこの近くで、上記ガスのフローの第１の圧力を検出する手段と、上記送風装置及び上記対象物インタフェースの又はこの近くの上記対象物回路と流体連通状態にある２次ラインにおける上記ガスのフローの第２の圧力を検出する手段とを含む。このシステムは更に、上記第１の圧力及び上記第２の圧力に基づき、１）上記２次ラインから上記送風装置を分離する第１の動作モードと、及び２）上記ガスの加圧されたフローを用いて閉塞の上記２次ラインをパージするため、上記送風装置から上記２次ラインの間の流体連通を可能にする第２の動作モードとの間で弁システムの動作を制御する手段を含み、その結果、上記第１の圧力及び上記第２の圧力の間の差分が閾値を超えることに応じて、上記弁システムが上記第２の動作モードに置かれる。
【図面の簡単な説明】
【０００８】
【図１】一実施形態による２次ラインパージシステムを持つガス給送システムを説明する図である。
【図２】一実施形態による第１の圧力センサにより検出される第１の圧力と第２の圧力センサにより検出される第２の圧力とのプロットを説明する図である。
【図３】一実施形態によるパージシステムの動作を説明する図である。
【発明を実施するための形態】
【０００９】
本発明のこれら及び他の目的、特徴及び特性が、この構造の関連要素及び部品の組合せにおける動作方法及び機能、並びに製造コストと共に、対応する図面を参照して以下の明細書及び添付の特許請求の範囲を考慮することにより、一層明らかになるだろう。図面、明細書及び特許請求の範囲はすべて、この明細書の一部を形成する。同様な参照符号は、さまざまな図面における対応する部品を表す。本発明の一実施形態において、本書に説明される構造要素は、大きさに合わせて描画されていると考えられることができる。しかしながら、図面は、説明及び記載のためだけに存在し、本発明を限定するものではない点を明確に理解されたい。更に、本書における任意の実施形態において図示又は説明される構造的特徴は、他の実施形態においても同様に用いられることができる点を理解されたい。しかしながら、図面が図示及び説明のためにだけあること、及び本発明の範囲を規定するものとして意図されないことは、明示的に理解されたい。明細書及び請求項において用いられる単数形の「ａ」「ａｎ」及び「ｔｈｅ」は、文脈上他の意図が明示的に示されない限り複数形の参照を含むものである。
【００１０】
図１は、対象物１２の気道に対して呼吸可能なガスの加圧されたフローを供給するよう構成されるシステム１０を説明する。ガス供給システム１０は、呼吸可能なガスの加圧されたフローの１つ又は複数のガスパラメータが、対象物１２に対して治療利益を提供するよう、呼吸可能なガスの加圧されたフローを対象物１２の気道に提供するベンチレータ１４を含む。ある実施形態では、呼吸可能なガスの加圧されたフローが、対象物１２が呼吸することを可能にするよう対象物１２の気道をサポートするよう、システム１０は構成される。ある実施形態では、対象物１２の呼吸が呼吸可能なガスの加圧されたフローにより機械的に支援されるよう、システム１０は構成される。対象物１２による呼吸を容易にする効果を高めるため、対象物の呼吸パラメータ及び／又は他のパラメータが検出され、ベンチレータ１４により供給される支援を制御するために実現される。ベンチレータ１４は、送風装置２２、制御弁２６、患者ポート３４、近位圧力ポート３８、第１の圧力センサ２８、第２の圧力センサ３０、弁システム４２、コントローラ１６及び／又は他の要素の１つ又は複数を含む。
【００１１】
ガス供給システム１０は、呼吸ガス供給源（図示省略）から呼吸の供給を受信し、対象物１２の気道に供給されるそのガスの圧力を上昇させる送風装置２２を含む圧力生成器を含む。ガス供給源は、ベンチレータ１４と同じ筐体に提供されることができるか、又は別々で、ベンチレータに接続されることができる。いくつかの実施形態によれば、ガス供給源からの呼吸ガスは、対象物１２に供給されるガスにおける酸素濃度のレベルを上昇させるため、酸素源から補足的な酸素を供給される。これは、ベンチレータ１４で又はベンチレータ１４から下流で、ガス供給源からの呼吸可能なガスを補足的な酸素と混合することを含むことができる。患者に供給される呼吸ガスは、空気、酸素又は酸素混合物（例えばheliox）といった任意の呼吸ガスとすることができる。呼吸ガスは、呼吸可能なガス及び薬物の混合物を含むこともできる。これ、ガス状形式（例えば、一酸化窒素）又は霧状とすることができる。
【００１２】
送風装置２２は、出口２４を持つファン（図示省略）に接続される一定速の又は可変速のモータ（図示省略）を含む。ある実施形態では、送風装置２２の速度は、フローの所望の速度に基づき、急速に増加又は減少されることができる。これは、より大きな柔軟性を持って各吸気及び呼気が制御されることを可能にする。例えば、送風装置２２は、単一の呼吸の時間スパン内でフローの速度をベンチレータが複数回又は継続的に変化させることを可能にするため、ガスフローが急速に変化することを可能にする。従って、ベンチレータ１４は、患者の呼吸パラメータ又は他のパラメータに従って応答するよう、迅速で反復的な調整をすることができる。
【００１３】
送風装置２２からの呼吸ガスの加圧されたフローは、送風装置２２の下流で制御弁２６に供給される。制御弁２６は、単独で又は送風装置２２と組み合わせて、ベンチレータ１４を出るガスの最終的な圧力又はフローを制御する。適切な圧力／フローコントローラの例は、スリーブ又はポペット弁といった少なくとも１つの弁を含む。この弁は、患者回路における圧力を制御する方法として患者回路からガスを排出する。他の適切な圧力／フローコントローラは、当業者にとって既知であると考えられる。いくつかの実施形態（図示省略）は、制御弁２６を含まない場合がある。斯かる実施形態において、圧力／フロー生成システムを出る最終的な圧力は、送風装置２２により制御される。
【００１４】
送風装置２２が常に１つの速度でのみ作動する送風装置である実施形態において、制御弁２６だけが、患者に供給される呼吸ガスに関する最終的な圧力及びフロー速度を制御するために用いられることができる。しかしながら、いくつかの実施形態では、送風装置２２の動作速度は、患者に供給される呼吸ガスに関する最終的な圧力及びフロー速度を制御するため、制御弁２６と組み合わせて制御される。例えば、所望の圧力又はフロー速度に近い圧力又はフロー速度が、制御弁２６と共に送風装置２２に関する適切な動作速度を確立することによりセットされることができる。その結果、一緒に作動するこの２つが、患者に供給される呼吸ガスに関する最終的な圧力を決定する。
【００１５】
呼吸ガスのフローは、対象物回路３２を介してベンチレータ１４から対象物１２まで搬送される。これは通常、患者インタフェースアセンブリ２０に呼吸ガスのフローを搬送する単一の柔軟な管又は導管である。対象物回路３２は、送風装置２２の出口２４に接続されることができる。従って、送風装置２２からのガスは、ベンチレータ１４に提供される患者ポート３４を介して、対象物回路３２に伝達されることができる。患者インタフェースアセンブリ２０は、侵襲的又は非侵襲的な患者インタフェース機器を含むことができる。例えば、患者の気道に対して呼吸ガスの供給を伝達するのに適した、鼻マスク、鼻／口マスク、総フェースマスク、鼻カニューレ、気管内チューブ又は気管チューブを含む。患者インタフェースアセンブリ２０は、マウントストラップ又はハーネスといったヘッドギアアセンブリを含むこともできる。患者インタフェースアセンブリ２０は、その上にある制御部及び他の付属物を含むこともできる。いくつかの実施形態では、患者インタフェースアセンブリ２０及び／又は患者回路３２はオプションで、これらの要素から環境大気までガスを排気するため、適切な排気ポート（図示省略）を含むことができる。排気ポートは、患者インタフェースアセンブリ２０におけるガスの圧力の制御を可能にするため、排気ガスに関するフロー制限を課す継続的にオープンなポートの形の受動的な排気ポートとすることができる。しかしながら、排気ポートは、排気速度を制御するために異なる構成を設定する能動的な排気ポートとすることができる点を理解されたい。
【００１６】
システム１０は、対象物インタフェースアセンブリ２０で又はこの近くで、ベンチレータ１４及び対象物回路１８と流体連通状態にある圧力ライン３６も含む。圧力ラインは、管状導管から形成されることができる。ある実施形態では、患者インタフェースアセンブリ２０で又はこの近くで、圧力が決定されることを可能にするため、圧力ライン３６は、ベンチレータにおける近位圧力ポート３８を通りベンチレータ１４へとガスのフローを供給する。
【００１７】
センサ２８及び３０は、呼吸ガス出力に関連付けられる１つ又は複数のパラメータを決定するよう構成される。第１の圧力センサ２８は、送風装置２２で又はこの近くで、ガスのフローの第１の圧力を測定するよう構成される。ベンチレータ１４における近位圧力センサ３０は、圧力ライン３６におけるガスのフローの圧力を測定するよう構成される。圧力ライン３６が、対象物１２の気道で又はこの近くで、対象物回路３２と連通するので、近位圧力センサ３０により測定される圧力（例えば、第２の圧力）は、対象物の気道に対する近位位置で対象物回路３２に含まれるガスのフローの圧力である。ベンチレータ１４における近位圧力センサ３０は、圧力ライン３６におけるガスのフローの圧力を測定するよう構成される。
【００１８】
他のセンサがオプションで提供される。例えば、患者に供給されるガスの瞬間的なボリューム、患者に供給されるガスの瞬間的なフロー速度、患者に供給されるガスの圧力、患者に供給されるガスの温度、患者に供給されるガスの湿度、又は患者に供給されるガスに関連付けられる他の任意のパラメータの１つ又は複数を決定するよう構成されるセンサである。センサ２８、３０により検出される圧力は、コントローラ１６に伝達されることができる。いくつかの実施形態において、圧力センサ２８、３０は、検出された第１及び第２の圧力を表わす圧力信号を生成することができ、圧力信号は、Ａ／Ｄコンバータ（図示省略）を通りコントローラ１６に送信されることができる。圧力センサ２８、３０は、任意の既知の圧力センサとすることができ、例えば、圧力トランスデューサ、圧抵抗圧力センサ、半導体圧力センサ、又は圧力を測定し、測定された圧力を表わす信号を生成することができる他の任意のタイプのセンサとすることができる。
【００１９】
電子コントローラ１６は、ベンチレータ１４の様々な作動側面を制御する。例えば、必要に応じて、呼吸ガス出力に関連付けられる１つ又は複数のパラメータを決定する処理のため、センサ２８、３０の出力が、コントローラ１６に提供される。コントローラ１６が、単一のコントローラ又は１つ以上のコントローラを参照することができる点を理解されたい。制御インタフェース（図示省略）は、ベンチレータ１４のコントローラ１６に対してデータ及び命令を提供するために用いられることができる。制御インタフェースは、ハードワイヤ又は無線接続を介してコントローラ１６に情報及び／又は命令を提供するのに適した任意のデバイス含むことができる。制御インタフェースの典型的な例は、キーパッド、キーボード、タッチパッド、マウス、マイク、スイッチ、ボタン、ダイヤル、又はユーザが供給システム１０に対して情報を入力することを可能にする他の任意のデバイスを含むことができる。ある実施形態では、コントローラ１６は、ベンチレーションの様々なモードに基づき、患者に供給されるガスに適用されるガスパラメータ（例えば、圧力、温度、湿度、フロー等）を計算するのに必要なアルゴリズムを用いて適切にプログラムされるプロセッサを有する。
【００２０】
ある実施形態では、ベンチレータ１４はオプションで、複数のモードのベンチレーションのいずれかを実行するのに必要なプログラムを格納するため、コントローラ１６に関連付けられる電子ストレージ（図示省略）を含む。ベンチレーションのモードは、制御インタフェースを用いて、介護者又は患者により選択される。電子ストレージは、ガス供給システム１０の動作に関するデータ、入力された命令、アラーム閾値だけでなく、例えばガスフローの測定された値、ボリューム、圧力、デバイス使用、動作温度及びモーター速度といった、ガス供給システム１０の動作に関する他の任意の情報を格納することもできる。いくつかの実施形態では、ガス供給システム１０の動作の間に得られるパラメータ及びデータが、ベンチレータ１４における対象物のコースに関するパラメータ及びデータの永久ログを提供するため、並びにガス供給システム１０の動作の解析を可能にするため、電子ストレージに格納されることができる。電子ストレージは、一体的に提供される（即ち、実質的に取り外し不可能な）ストレージ、並びに／又は、例えばポート（例えばＵＳＢポート、ｆｉｒｅｗｉｒｅポート等）若しくはドライブ（例えば、ディスクドライブ等）を介して、システム１０に着脱自在に接続可能な着脱可能なストレージを含むことができる。電子ストレージ１８は、光学的に読み出し可能なストレージ媒体（例えば、光学ディスク等）、磁気的に読み出し可能なストレージ媒体（例えば、磁気テープ、磁気ハードドライブ、フロッピードライブ等）、電気電荷ベースのストレージ媒体（例えば、ＥＥＰＲＯＭ、ＲＡＭ等）、半導体ストレージ媒体（例えば、フラッシュドライブ等）及び／又は他の電子的に読み出し可能なストレージ媒体の１つ又は複数を含むことができる。電子ストレージは、ソフトウェアアルゴリズム、コントローラ１６により決定される情報、ユーザインタフェースを介して受信される情報、及び／又はシステム１０が適切に機能することを可能にする他の情報を格納することができる。電子ストレージは（全体において又は部分において）、システム１０に含まれる別々の要素とすることができるか、又は、電子ストレージは（全体において又は部分において）、システム１０の１つ又は複数の他の要素と一体的に提供されることができる。
【００２１】
パージシステム４０は、閉塞（例えば、水及び／又は粘液）の圧力ライン３６をパージするため、ガス供給システム１０において提供される。ある実施形態では、パージシステム４０は、送風装置２２、第１の圧力センサ２８、近位圧力センサ３０、対象物回路３２、圧力ライン３６、圧力ライン３６及び送風装置２２の間に提供される弁システム４２、コントローラ１６、並びに／又は他の要素の１つ又は複数を含む。本書において、パージシステム４０は、圧力ラインを参照して説明されるが、これは、限定を目的とするものではない点を理解されたい。この開示の範囲は、ベンチレータ１４を用いて、対象物１２の気道で又はこの近くで、対象物回路３２と連通する任意の２次ラインを含む。
【００２２】
ある実施形態では、ガスのフローが、弁システム４２を通り送風装置２２から圧力ライン３６へと伝達されるよう、弁システム４２が、圧力ライン３６及び送風装置２２の間に配置される。弁システム４２は、１）圧力ライン３６から送風装置１６を分離する第１の動作モードにおいて、及び２）ガスの加圧されたフローを用いて閉塞の圧力ライン２６をパージするため、送風装置１６から圧力ライン３６の間の流体連通を可能にする第２の動作モードにおいて、動作可能であるよう構成される。圧力ライン３６を通る送風装置２２からのガスの加圧されたフローは、圧力ライン３６内の閉塞を除去することができる。即ち、送風装置２２は、圧力ライン３６を通る加圧されたガスの「対向する」フローが、圧力ライン３６を通る流体の正常なフローと干渉する、ブロックする又は妨害する任意の閉塞を取り除く及び除去することを可能にする。従って、この構成は、２次コンプレッサ又は加圧されたガスの他の２次源を用いずに、圧力ライン３６をパージすることを可能にする。しかしながら、いくつかの実施形態においては、加圧されたガスの２次源が、パージシステム４０の動作を容易にするために提供されることもできることが想定される。
【００２３】
いくつかの実施形態において、第１の圧力センサ２８により検出される第１の圧力（即ち、ベンチレータ１４での圧力）及び近位圧力センサ３０により検出される第２の圧力（即ち、近位圧力）に基づき、コントローラ１６は、第１の動作モード及び第２の動作モードの間で弁システムの動作を切り替えるよう構成される。その結果、弁システム４２は、閾値を超える第１の圧力及び第２の圧力の間の差分に応じて、第２の動作モードに置かれる。弁システム４２は、第２の圧力が第１の圧力を閾値分上回ることに応じて、第２の動作モードに置かれることができる。いくつかの実施形態において、閾値は、約２、３、４、５、又は６ｃｍＨ２Ｏとすることができるが、他の値も想定される。いくつかの実施形態において、閾値は、制御インタフェースを介してユーザによりセットされることができる。代替的に又は追加的に、閾値は、コントローラ１６に予めプログラムされることができる。
【００２４】
ある実施形態では、弁システム４２は、ソレノイドを含むことができる。斯かる実施形態において、ソレノイド弁は、コントローラ１６によりこの弁に適用される電流により制御されることができる。いくつかの実施形態において、コントローラ１６は、ソレノイドに対してパルス幅変調（ＰＷＭ）信号を提供することができる。ソレノイドは、２つのポートを含むことができる。ここで、第１の動作モードでは、弁システム４２を通るガスのフローが防止されるクローズ構成へと弁が切り替えられ、第２の動作モード（パージ動作と呼ばれることもできる）では、弁システム４２を通るガスのフローが許されるオープン構成へと弁システム４２が切り替えられる。しかしながら、この例は、限定を目的とするものではなく、他の電気機械弁又は他のタイプの弁が用いられることができる点を理解されたい。
【００２５】
図２に示されるように、ベンチレータ１４での第１の圧力は通常、呼気の間、圧力ライン３６における圧力以下である。しかしながら、吸気の間、ベンチレータ１４での第１の圧力は、少なくとも閾値分圧力ライン３６における圧力を上回ることができる。こうして、弁システム４２は、ガスが送風装置２２から近位圧力ライン３６へと流れることを可能にする第２の動作モードに置かれる。しかしながら、この例は、限定を目的とするものではない。他の実施形態では、第２の動作モード（即ち、パージ動作）が、呼気又は吸気の間の任意の時に発生することができると想定される。
【００２６】
図３は、一実施形態による圧力ライン３６をパージする方法５０を説明する。以下に示される方法５０の動作は、説明的なものとして意図される。いくつかの実施形態において、方法５０は、記載省略された１つ又は複数の追加的な動作を用いて実現され、及び／又は記載された動作の１つ又は複数なしに実現されることができる。更に、図３に示され、以下に説明される方法５０の動作の順序は、限定を意図するものではない。
【００２７】
動作５２において、呼吸可能なガスの加圧されたフローが生成される。呼吸可能なガスの加圧されたフローの１つ又は複数のガスパラメータが、対象物に対する治療利益を提供するよう制御される。ある実施形態では、動作５２は、（図１に示され、上述の）送風装置２２に類似する又はこれと同じ送風装置により実行される。
【００２８】
動作５４において、呼吸可能なガスの加圧されたフローが、対象物１２の気道へと供給される。ある実施形態では、動作５４は、図１に示され、上述された対象物回路３２により実行される。
【００２９】
動作５６において、第１の圧力センサ２８は、送風装置２２で又はこの近くで、ガスのフローの第１の圧力を検出する。第１の圧力センサ２８は、この圧力読み出しの信号を生成し、コントローラ１６に対してこの信号を送信する。
【００３０】
動作５８において、第２の圧力センサ３０は、圧力ライン３６におけるガスのフローの第２の圧力を検出する。上述したように、圧力ライン３６は、対象物インタフェースアセンブリ２０で又はこの近くで、対象物回路３２に接続され、及び従って、第２の圧力センサ３０により検出される圧力は、対象物インタフェースアセンブリ２０の又はこの近くのガスのフローの圧力である。第２の圧力センサ３０は、この圧力読み出しの信号を生成し、コントローラ１６に対してこの信号を送信する。
【００３１】
動作５９において、コントローラ１６は、第１の圧力センサ２８により検出される第１の圧力及び第２の圧力センサ３０により検出される第２の圧力の間の差分を評価する。例えば、コントローラ１６は、上述したように、第１の圧力及び第２の圧力の間の差分が所定の閾値を超えるかどうか決定する。ある実施形態では、コントローラ１６は、第２の圧力が所定の閾値分第１の圧力を上回るかどうか決定する。
【００３２】
動作６０において、コントローラ１６は、第１の圧力センサ２８により検出される第１の圧力及び近位圧力センサ３０により検出される第２の圧力の間の差分の評価に基づき、弁アセンブリ４２を制御する。上述したように、弁システム４２は、１）送風装置１６を圧力ライン３６から分離する第１の動作モード、及び２）ガスの加圧されたフローを用いて閉塞の圧力ライン３６をパージするため、送風装置１６から圧力ライン３６の間の流体連通を可能にする第２の動作モードにおいて動作可能であるよう構成される。第１の圧力（即ち、ベンチレータ１４での圧力）と第２の圧力（即ち、近位圧力）との間の差分が閾値を上回るとコントローラ１６が決定する場合、コントローラ１６は、第２の動作モード（即ち、パージ動作）へと弁システム４２の動作を切り替える。代替的に、第１の圧力（即ち、ベンチレータ１４での圧力）と第２の圧力（即ち、近位圧力）との間の差分が閾値未満であるとコントローラ１６が決定する場合、コントローラ１６は、第１の動作モードに弁システム４２を置く。従って、弁システム４２が第１の動作モードにあるとき、対象物からの粘液及び／又は水が、圧力ライン３６を通り送風装置２２まで伝達されることが防止される。
【００３３】
代替的に又は追加的に、いくつかの実施形態において、パージシステム４０は、他の方法を用いて圧力ライン３６をパージすることもできる。例えば、いくつかの実施形態において、パージシステム４０は、所定の時間期間に基づき、第１の動作モードと第２の動作モードとの間で弁システムのモードを切り替えることができる。斯かる実施形態において、パージシステム４０は、タイマーを含むことができる。斯かる実施形態において、第１の動作モードと第２の動作モード（即ち、パージ動作）との間で動作を切り替えるため、弁システム４２に対してコントローラ１６により信号が生成されることができる。弁システム４２は、所定の時間期間の間、第２の動作モードで作動することができる。これは、ユーザにより選択されることができるか、又はコントローラ１６により決定されることができる。いくつかの実施形態において、パージ動作に関する時間期間は、少なくとも患者吸気の部分の間、発生することができる。従って、弁システム４２がソレノイド弁を含む実施形態において、ソレノイド弁は、吸気の間の所定の時間量、開かれることができ、吸気が終わり呼気が発生する前に閉じられることができる。
【００３４】
最も実際的かつ好ましい実施形態であると現在考慮されるものに基づき、本発明が説明目的で詳述されたが、斯かる詳細は、単に説明目的のためだけにあること、及び本発明は、開示された実施形態に限定されず、添付の特許請求の範囲の精神及び範囲内にある修正及び均等な構成を覆うよう意図されることを理解されたい。例えば、可能な限り、任意の実施形態の１つ又は複数の特徴が、他の任意の実施形態の１つ又は複数の特徴と結合されることができる点を本発明は想定していることを理解されたい。
【図１】
0005944396.tif 000002
【図２】
0005944396.tif 000003
【図３】
0005944396.tif 000004